(57)【要約】【課題】光源からの出射光を伝送先に光ファイバーで伝送する光源装置において、光ファイバーの接続部に汎用の光ファイバーコネクタを用いた場合であっても、光ファイバーが正しく接続されているか否かを検知できる機構を備えた構成を実現する。【解決手段】  異なる発光色で発光する複数の光源部と、光学アダプタと、複数の光源部から射出された光を発光色毎に光学アダプタに伝送する複数の光ファイバーで構成された光ファイバー群を備えた光源装置であって、複数の光源部のそれぞれは、少なくとも当該光源部の発光色の光を検知できる検知部を備え、光学アダプタは、光ファイバー群を含む光路を経由して伝送された複数の光源部からの射出光を外部に出力する出力部と、光路に対して逆向きの方向で射出光を入射可能に構成された検査用光源部とを備える。【選択図】        図１
2015069790.tif 000002
【特許請求の範囲】
【請求項１】
異なる発光色で発光する複数の光源部と、光学アダプタと、前記複数の光源部から射出された光を前記発光色毎に前記光学アダプタに伝送する複数の光ファイバーで構成された光ファイバー群を備えた光源装置であって、
複数の光源部のそれぞれは、少なくとも当該光源部の前記発光色の光を検知できる検知部を備え、
前記光学アダプタは、前記光ファイバー群を含む光路を経由して伝送された前記複数の光源部からの射出光を外部に出力する出力部と、前記光路に対して逆向きの方向で射出光を入射可能に構成された検査用光源部とを備えたことを特徴とする光源装置。
【請求項２】
前記検査用光源部は白色光を発する構成であり、
前記光学アダプタは、前記光路を経由して伝送された前記複数の光源部から射出された異なる色の光を合成すると共に、前記検査用光源部から射出され前記光路を逆向きに進行する白色光を異なる色の光に分光する光処理部を備え、
前記検査用光源部から射出された白色光は、前記光処理部を通過することで異なる色の光に分光された後、当該色毎に、前記発光色に対応した前記光ファイバー側に導かれることを特徴とする請求項１に記載の光源装置。
【請求項３】
前記光処理部がダイクロイックミラーで構成されていることを特徴とする請求項２に記載の光源装置。
【請求項４】
前記検査用光源部は、前記発光色に対応した異なる色の光を発する構成であり、
前記検査用光源部から射出された異なる色の光は、当該色毎に、前記発光色に対応した前記光ファイバー側に導かれることを特徴とする請求項１に記載の光源装置。
【請求項５】
前記検査用光源部からの射出光の光束を移動させて前記光路上に入射させ得る検査用駆動部を備えたことを特徴とする請求項２〜４のいずれか１項に記載の光源装置。
【請求項６】
前記複数の光源部及び前記検査用光源部を制御する制御部を備え、
前記制御部は、前記検査用光源部からの射出光が前記光路に入射された状態で、前記複数の光源部のそれぞれに備えられた全ての前記検知部からの信号に基づいて前記検査用光源部からの射出光を検知した旨の判定を行うと、前記検査用光源部からの射出光が前記光路に入射されないように制御した後、前記複数の光源部を点灯する制御を行うことを特徴とする請求項１〜５のいずれか１項に記載の光源装置。
【請求項７】
前記制御部は、前記検知部から所定の閾値以上の光量を検知した旨の信号が与えられると、当該検知部において前記検査用光源部からの射出光が検知された旨の判定を行うことを特徴とする請求項６に記載の光源装置。
【発明の詳細な説明】
【技術分野】
【０００１】
本発明は、光源からの出射光を光ファイバーで伝送する光源装置に関する。
【背景技術】
【０００２】
従来、プロジェクタの光源に半導体レーザやＬＥＤを用い、これらの光源から放射される光を光ファイバーで伝送するプロジェクタが知られている（例えば、特許文献１参照）。
【先行技術文献】
【特許文献】
【０００３】
【特許文献１】特開２００７−１７８７６７号公報
【発明の概要】
【発明が解決しようとする課題】
【０００４】
昨今より、プロジェクタに用いられる光源としては、より明るく出力の高いものが求められており、高出力のレーザ装置が用いられることがある。しかし、このように高出力のレーザ装置を光源に配置し、このレーザ装置から発されるレーザ光を光ファイバーで伝送する場合、光ファイバーが仮に正しく接続されていない状態でレーザ装置が点灯すると、高出力のレーザ光が外部に漏れ出すことになる。このとき、場合によってはこの漏れ光が人間の目に直接入ったり、周囲のものを加熱したりするおそれがある。このような事態を未然に防ぐためには、光ファイバーが正しく接続されているか否かの確認をするためのインタロック機構を設けることが考えられる。
【０００５】
従来、光の伝送元や伝送先と光ファイバーとを接続するためのコネクタとしては、いくつかの汎用品が市場に供給されている。これらの汎用コネクタは、入手性も良く比較的安価に手に入れることができる反面、非常に小型の構造である上に規格で規定された形状のため、接続確認のためのインタロック機構を追加的に設けることが困難であるという事情がある。
【０００６】
汎用コネクタとは別に、インタロック機構を備えた専用の光ファイバーコネクタを特注で製作することは可能であるが、専用品であるため非常に入手性が悪い上、高価なものになってしまう。
【０００７】
本発明は、上記の課題に鑑み、光源からの出射光を伝送先に光ファイバーで伝送する光源装置において、光ファイバーの接続部に汎用の光ファイバーコネクタを用いた場合であっても、光ファイバーが正しく接続されているか否かを検知できる機構を備えた構成を実現することを目的とする。
【課題を解決するための手段】
【０００８】
本発明は、異なる発光色で発光する複数の光源部と、光学アダプタと、前記複数の光源部から射出された光を前記発光色毎に前記光学アダプタに伝送する複数の光ファイバーで構成された光ファイバー群を備えた光源装置であって、
複数の光源部のそれぞれは、少なくとも当該光源部の前記発光色の光を検知できる検知部を備え、
前記光学アダプタは、前記光ファイバー群を含む光路を経由して伝送された前記複数の光源部からの射出光を外部に出力する出力部と、前記光路に対して逆向きの方向で射出光を入射可能に構成された検査用光源部とを備えたことを特徴とする。
【０００９】
ここで、本発明が対象とする光源装置は、光源部から離れた位置に光学アダプタを備えており、この光学アダプタに対して光源部から光ファイバー群を介して光が伝送された後、当該伝送された光が、必要に応じて合成、分光、集光、拡散、反射等の光束に対する処理が施されて、利用対象装置（例えば投影装置等）に出力される構成である。
【００１０】
複数の光源部は、例えば赤色光を発する光源、緑色光を発する光源、及び青色光を発する光源を有する構成とすることができる。また、それぞれの色の光源についても、単独の発光部で構成されていても構わないし、同じ色の光を発する複数の発光部で構成されていても構わない。
【００１１】
光ファイバー群は、複数の光ファイバーで構成されており、異なる色の光は、色毎に対応した光ファイバー、すなわち異なる光ファイバーを介して、光源部から光学アダプタに伝送される構成である。
【００１２】
光学アダプタ内に備えられた検査用光源部からの射出光（以下、「検査用光」と呼ぶことがある。）は、複数の光源部から光学アダプタに向かう光路に対して逆向きの方向で入射させることができる構成であり、かかる状態の下で光路に対して入射された検査用光は、光学アダプタ内において光ファイバー側へと伝送される。
【００１３】
ここで、光ファイバー群を構成する複数の光ファイバーの全てが正しく接続されている場合には、検査用光が各光ファイバー内を逆向きに進行して各光源部内に伝送され、光源部に備えられた検知部によって検査用光が検知される。一方、仮にいずれかの光ファイバーが正しく接続されていない場合には、この正しく接続されていない光ファイバーに対応した光源部に備えられた検知部でのみ、検査用光が検知されないことになる。従って、検知部での検知結果に基づいて、全ての光ファイバーが正しく接続されているか否かを判断することができる。
【００１４】
検査用光源部は、複数の光源部を点灯させる前段階において点灯させる構成とすることができる。そして、全ての検知部において検査用光が検知され、全ての光ファイバーが正しく接続されていることの確認がされたことをもって、複数の光源部を点灯させる構成とすることができる。これによれば、複数の光源部が高出力のレーザ光源で構成されている場合において、当該高出力のレーザ光が外部に漏れ出ることを防止できる。
【００１５】
そして、上記構成によれば、光ファイバーを接続するコネクタ部分にインタロック機構を備える必要がないため、汎用の光ファイバーコネクタを用いながらも、光ファイバーが正しく接続されているか否かを検知することが可能になる。
【００１６】
なお、検査用光源部は、光路に対して検査用光を逆向きに入射させることのできる構成であるが、仮に検査用光源部が当該光路上に固定的に配置されていると、複数の光源部から射出され光路上を進行する光を妨げるおそれがある。このような事態を防止する目的で、検査用光源部から射出される光（検査用光）の光束を移動させることのできる検査用駆動部を備える構成とすることができる。より具体的には、検査用駆動部は、検査用光源部そのもの、又は検査用光の光束の進行方向を変化させるための光学系（例えばミラー等）を移動できる構成とすることができる。
【００１７】
検査用駆動部によって検査用光を光路に対して逆向きに入射できるように検査用光源部又は光学系を移動させた状態で検査用光源部を点灯し、検査用光を射出させる。そして、各光源部に備えられた検知部において当該検査用光が検知されると、検査用駆動部によって検査用光源部又は光学系を光路外へと移動させ、検査用光源部を消灯した後、各光源部を点灯させる。これによって、各光源部から射出された光が光路を介して光学アダプタの出力部へと正しく伝送される。
【００１８】
より具体的な構成として、
前記検査用光源部は白色光を発する構成であり、
前記光学アダプタは、前記光路を経由して伝送された前記複数の光源部から射出された異なる色の光を合成すると共に、前記検査用光源部から射出され前記光路を逆向きに進行する白色光を異なる色の光に分光する光処理部を備え、
前記検査用光源部から射出された白色光は、前記光処理部を通過することで異なる色の光に分光された後、当該色毎に、前記発光色に対応した前記光ファイバー側に導かれる構成とすることができる。
【００１９】
例えば、複数の光源部が、赤色光源、緑色光源、及び青色光源を有する構成である場合を想定して説明する。このとき、各光源から射出され、発光色毎に対応した光ファイバーによって光学アダプタに伝送された各色の光は、光処理部によって合成されて白色光となり出力部へと導かれる。一方、検査用光源部から射出され、光路に対して逆向きに入射された白色の検査用光は、光処理部において各色に分光される。この例では、赤色の検査用光、緑色の検査用光、及び青色の検査用光に分光された後、各色の検査用光はそれぞれの色に対応した光ファイバーを介して各光源部へと伝送される。各光源部が備える検知部は、少なくとも当該光源部の発光色の光を検知できる構成であるため、光ファイバーが正しく接続されていれば、各光源部が備える検知部において各色の検査用光が検知される。よって、この構成においても、検知部における検知結果に基づいて光ファイバーが正しく接続されているか否かの判断が行える。
【００２０】
また、この構成によれば、検査用光源部の発光色を白色のみとすることができ、異なる色の光を発する光源を複数準備する必要がない上、光路に対して逆向きの方向で射出光を入射可能に構成された検査用光源部を最低１箇所設けておけばよいため、検査用光源部の構成を簡素化できる。
【００２１】
光処理部としては、例えばダイクロイックミラーを採用することができる。より具体的な一例としては、複数の光源部が、赤色光源、緑色光源、及び青色光源を有する構成である場合、赤色光を反射するダイクロイックミラー、赤色光を透過して緑色光を反射するダイクロイックミラー、赤色光及び緑色光を反射して青色光を透過するダイクロイックミラーを光路上に設置する。これにより、複数の光源部からの射出光が白色光に合成されて出力部へと導かれると共に、検査用光源部から射出された白色の検査用光が、各色に分光されて、各色に対応した光ファイバー側へと導かれる。
【００２２】
別の具体的な構成として、
前記検査用光源部は、前記発光色に対応した異なる色の光を発する構成であり、
前記検査用光源部から射出された異なる色の光は、当該色毎に、前記発光色に対応した前記光ファイバー側に導かれる構成とすることができる。
【００２３】
かかる構成の場合は、検査用光源部において色毎の発光素子が必要となる。しかし、複数の光源部からの射出光を発光色毎に伝送する複数の光ファイバーのそれぞれが、更に複数本の光ファイバー又は複数本の光ファイバーがバンドルされてなるファイババンドルで構成されている場合には、光ファイバー群が備える光ファイバーの本数に比べて検査用光源部の数を減らすことができる。
【００２４】
また、本発明の光源装置は、上記構成に加えて、
前記複数の光源部及び前記検査用光源部を制御する制御部を備え、
前記制御部は、前記検査用光源部からの射出光が前記光路に入射された状態で、前記複数の光源部のそれぞれに備えられた全ての前記検知部からの信号に基づいて前記検査用光源部からの射出光を検知した旨の判断を行うと、前記検査用光源部からの射出光が前記光路に入射されないように制御した後、前記複数の光源部を点灯する制御を行う構成とすることができる。
【００２５】
このような構成によれば、光ファイバーが正しく接続されていない場合には複数の光源部からの光が射出されることがないため、複数の光源部が高出力のレーザ光源で構成されている場合において、当該高出力のレーザ光が外部に漏れ出ることが防止できる。
【００２６】
なお上記構成において、前記制御部は、前記検知部から所定の閾値以上の光量を検知した旨の信号が与えられると、当該検知部において前記検査用光源部からの射出光が検知された旨の判断を行うものとしても構わない。
【００２７】
光ファイバーが正しく接続されていない場合、太陽光や照明光のような外乱光が光源部内に入射される可能性は否定できない。もし、かかる外乱光が検知部によって検知されてしまうと、光ファイバーが正しく接続されていないのにも関わらず、正しく接続されているものと誤判断をして、複数の光源部を点灯させ、高出力の光が漏れ出る可能性が考えられる。そこで、検査用光の光量を入り得る外乱光の光量よりは多くなるように設定しておくと共に、検知部からの検知光量が所定の閾値以上である場合をもって検査用光が検知されたものと制御部において判断する構成とすることで、上記誤判断を防止できる。
【００２８】
特に、光学アダプタが光処理部を備える場合においては、各光源部内には発光色に対応した色の検査用光が入射される構成となるため、外乱光と比べて波長分布（色比率）が大きく異なる。よって、検知部において検知された光のうち、所定の色の光に対応した検知光量が所定の閾値以上である場合をもって検査用光が検知されたものと制御部が判断する構成とすることができる。
【発明の効果】
【００２９】
本発明の光源装置によれば、光ファイバーの接続部に汎用の光ファイバーコネクタを用いた場合であっても、光ファイバーが正しく接続されているか否かを検知することが可能になる。
【図面の簡単な説明】
【００３０】
【図１】光源装置の一実施形態の構成を模式的に示すブロック図である。
【図２】光源装置において、一の光ファイバーが正しく接続されていない場合における構成を模式的に示すブロック図である。
【図３】光源装置の別の一実施形態の構成を模式的に示すブロック図である。
【図４】光源装置の別の一実施形態の構成を模式的に示すブロック図である。
【図５】光源装置の別の一実施形態の構成を模式的に示すブロック図である。
【発明を実施するための形態】
【００３１】
［構成］
本発明の光源装置の実施形態につき、図面を参照して説明する。図１は、光源装置の一実施形態の構成を模式的に示すブロック図である。光源装置１は、異なる色の光を発光する複数の光源部（１０，２０，３０）を含む光源ユニット２と、光学アダプタ３と、複数の光源部（１０，２０，３０）から射出された光をそれぞれの発光色毎に光学アダプタ３に伝送する複数の光ファイバー（１４，２４，３４）を備える。つまり、光源装置１としては、光源ユニット２と光学アダプタ３が別の場所に設置され、光ファイバー群（１４，２４，３４）を介して連結されている構成を想定している。そして、この光学アダプタ３から出力される光が、光源装置１からの光を利用する装置としての光学装置７０に供給される。この光学装置７０としては、例えばプロジェクタ等が採用される。
【００３２】
図１に示す構成では、光源部１０が青色（Ｂ）の光を発光する発光部１１を備えており、当該発光部１１から射出された青色光が光ファイバー１４で伝送される。光源部２０が緑色（Ｇ）の光を発光する発光部２１を備えており、当該発光部２１から射出された緑色光が光ファイバー２４で伝送される。光源部３０が赤色（Ｒ）の光を発光する発光部３１を備えており、当該発光部３１から射出された赤色光が光ファイバー３４で伝送される。
【００３３】
発光部１１は、青色光を発光する一以上の発光素子を含む装置で構成されており、例えば高出力のレーザ装置で構成することができる。発光部２１及び発光部３１においても、発光色を異ならせた同様のレーザ装置で構成することができる。
【００３４】
光源部１０は、発光部１１、及び当該発光部１１の発光色の光を少なくとも検知できる検知部１２を備える。この検知部１２は、例えば光学センサで構成される。同様に、光源部２０は、発光部２１、及び当該発光部２１の発光色の光を少なくとも検知できる検知部２２を備える。光源部３０は、発光部３１、及び当該発光部３１の発光色の光を少なくとも検知できる検知部３２を備える。
【００３５】
光源装置１は、制御部７を備える。制御部７は、各検知部（１２，２２，３２）から与えられる信号に基づいて後述する判定処理を行う判定部５を備える。また、光源装置１は、各光源部（１０，２０，３０）に対する駆動を行う駆動部（１９，２９，３９）を備えており、これらの駆動部（１９，２９，３９）は制御部７からの制御信号に基づいて制御される。
【００３６】
駆動部１９は、制御部７からの制御信号に基づき、発光部１１に対して所定量の電流を供給し、発光部１１を所定の発光量で発光させる。駆動部２９は、制御部７からの制御信号に基づき、発光部２１に対して所定量の電流を供給し、発光部２１を所定の発光量で発光させる。駆動部３９は、制御部７からの制御信号に基づき、発光部３１に対して所定量の電流を供給し、発光部３１を所定の発光量に発光させる。
【００３７】
各光源部（１０，２０，３０）からの出射光は、光ファイバー群（１４，２４，３４）によって色毎に光学アダプタ３に伝送される。光学アダプタ３は、ダイクロイックミラー（４１，４２，４３）を備えている。このダイクロイックミラー（４１，４２，４３）が「光処理部」に対応する。
【００３８】
光ファイバー３４によって伝搬された赤色光はダイクロイックミラー４３によって進行方向が変化し、光ファイバー２４によって伝送された緑色光と合成される。この合成光はダイクロイックミラー４２によって進行方向が変化し、光ファイバー１４によって伝送された青色光と更に合成されて白色光が生成され、光路４５上を順方向ｄ１に沿って進行し、出力部５１へと導かれる。この白色光は、出力部５１より光源装置１の光を利用する光学装置７０へと出力される。なお、ダイクロイックミラー（４１，４２，４３）と出力部５１の間や、ダイクロイックミラー（４１，４２，４３）と光ファイバー群（１４，２４，３４）の間には、適宜別途の光学系を配置しても構わない。
【００３９】
更に、光学アダプタ３は、白色光を発する検査用光源部６１及び検査用光源部６１を駆動するための検査用駆動部６３を備えている。検査用駆動部６３は、制御部７からの制御信号に基づいて、検査用光源部６１の点灯制御、及び検査用光源部６１から射出される光束の移動制御を行う構成である。
【００４０】
具体的には、検査用光源部６１は、白色光を発する発光素子及びアクチュエータを有し（不図示）、検査用駆動部６３からの制御によって検査用光源部６１の位置を光路４５の内外に移動させることができる構成である。検査用光源部６１は、光路４５上に位置した状態で発光素子が点灯すると、この発光素子から発せられた白色光が光路４５上を逆方向ｄ２に進行する。そして、ダイクロイックミラー（４１，４２，４３）を通過することで、白色光がＲ，Ｇ，Ｂ各色の光に分光され、対応する色の光ファイバー（１４，２４，３４）を介して各光源部（１０，２０，３０）に伝送される。なお、検査用光源部６１の位置を移動させるための手段は、アクチュエータ以外のもので実現しても構わない。
【００４１】
［動作］
以下において、光源装置１の動作内容について説明する。
【００４２】
まず、図１に示すように、各光ファイバー（１４，２４，３４）が光源ユニット２と光学アダプタ３の間を正しく接続されているものとして説明する。
【００４３】
例えば利用者によって光源装置１の電源がＯＮにされる等、光源装置１に対して外部から点灯指示が与えられると、制御部７は、検査用駆動部６３に対して所定の制御信号を与える。検査用駆動部６３は、この制御信号に基づいて、検査用光源部６１の位置を光路４５上に移動させると共に、検査用光源部６１が備える発光素子に所定量の電流を供給する。これにより、検査用光源部６１から白色光が発せられる。以下、この検査用光源部６１から発せられた白色光、及びこの白色光由来の光を「検査用光」と呼ぶことがある。
【００４４】
上述したように、検査用光源部６１から発された白色の検査用光は、光路４５上を逆方向ｄ２の向きに進行し、ダイクロイックミラー（４１，４２，４３）へと入射される。白色光は、青色光、緑色光、及び赤色光の各波長帯の光が合成されたものであり、ダイクロイックミラー４１において、このうちの青色光のみが透過され、この透過された青色光が光ファイバー１４に対して、光学アダプタ３から光源ユニット２の向きに入射される。
【００４５】
また、白色光のうち、青色光以外の光成分はダイクロイックミラー４１において反射され、ダイクロイックミラー４２へと入射される。そして、ダイクロイックミラー４２において、入射光のうちの緑色光のみが反射され、他の光成分が透過してダイクロイックミラー４３へと入射される。そして、ダイクロイックミラー４３において、入射光のうちの赤色光のみが反射される。ダイクロイックミラー４２において反射された緑色光は、光ファイバー２４に対して、光学アダプタ３から光源ユニット２の向きに入射される。同様に、ダイクロイックミラー４３において反射された赤色光は、光ファイバー３４に対して、光学アダプタ３から光源ユニット２の向きに入射される。
【００４６】
光学アダプタ３側から光ファイバー１４に対して入射された青色の検査用光は、光ファイバー１４を介して光源ユニット２、より詳細には光源部１０へと伝送される。ここで、上述したように、光源部１０は、少なくとも発光部１１の発光色の光（すなわち青色光）を検知することができる検知部１２を備えている。このため、検知部１２は、光ファイバー１４を介して伝送された青色の検査用光が光源部１０内に入射されると、当該検査用光を検知してその旨の信号を判定部５に出力する。
【００４７】
同様に、光学アダプタ３側から光ファイバー２４に対して入射された緑色の検査用光は、光ファイバー２４を介して光源ユニット２、より詳細には光源部２０へと伝送され、検知部２２は当該検査用光を検知し、その旨の信号を判定部５に出力する。同様に、光学アダプタ３側から光ファイバー３４に対して入射された赤色の検査用光は、光ファイバー３４を介して光源ユニット２、より詳細には光源部３０へと伝送され、検知部３２は当該検査用光を検知し、その旨の信号を判定部５に出力する。
【００４８】
判定部５は、各検知部（１２，２２，３２）から送られてきた信号に基づき、当該信号が検査用光に由来するものであるかどうかを判定する。一例としては、各検知部（１２，２２，３２）は、所定の光量以上の光を受光した場合にのみ判定部５に対してその旨の信号を出力する構成とすることができる。この場合、判定部５は、各検知部（１２，２２，３２）から信号が与えられたことをもって、各検知部（１２，２２，３２）が検査用光を検知したものと判定することができる。本実施形態では、この構成を想定して説明する。
【００４９】
なお、別の一例としては、各検知部（１２，２２，３２）は、検知した光の光量に基づく信号を判定部５に対して出力する構成とすることができる。この場合、判定部５は、各検知部（１２，２２，３２）から与えられた信号に基づき、当該信号が示す値が所定の閾値以上である場合には、各検知部（１２，２２，３２）が検査用光を検知したものと判定することができる。
【００５０】
制御部７は、判定部５において各検知部（１２，２２，３２）から送られてきた信号に基づき当該信号が検査用光に由来するものであると判定されると、検査用駆動部６３に対して所定の制御信号を出力する。検査用駆動部６３は、制御部７からの制御信号を取得すると、検査用光源部６１を消灯させると共に、検査用光源部６１の位置を光路４５外へ移動させる。
【００５１】
更に、制御部７は、各駆動部（１９，２９，３９）に対して所定の制御信号を出力する。各駆動部（１９，２９，３９）は、制御部７からの制御信号を取得すると、各光源部（１０，２０，３０）が備える発光部（１１，２１，３１）に対して所定量の電流を供給する。これにより、各発光部（１１，２１，３１）が所定の光量で発光し、この光が光ファイバー（１４，２４，３４）を介して光学アダプタ３へと伝送される。そして、各色（Ｒ，Ｇ，Ｂ）の光がダイクロイックミラー（４１，４２，４３）によって白色光に合成された後、この白色光が光路４５上を順方向ｄ１に進行し、出力部５１より光学装置７０へと出力される。
【００５２】
なお図１では、白色の検査用光を出力する検査用光源部６１に対して図面上では「Ｗ」の表記を付しており、破線と矢印によって検査用光源部６１が光路４５の内外に移動可能な構成であることを示している。
【００５３】
次に、図２に示すように、光ファイバー（１４，２４，３４）のうち、一の光ファイバー３４が光源ユニット２と光学アダプタ３の間に正しく接続されていない場合について説明する。
【００５４】
上述したように、光源装置１に対して外部から点灯指示が与えられると、制御部７からの制御信号に基づいて、検査用光源部６１の位置が移動し、検査用光源部６１から光路４５上を逆方向ｄ２の向きに進行する白色の検査用光が射出される。そして、この白色光が、ダイクロイックミラー（４１，４２，４３）を介して、検査用光としての各色光に分光される。
【００５５】
しかし、図２に示す状態では、光ファイバー３４が正しく接続されていないため、赤色の検査用光は光ファイバー３４を介して光源部３０に伝送されない。一方、青色の検査用光は、図１に示す構成と同様に、光ファイバー１４を介して光源部１０に入射され、緑色の検査用光は、光ファイバー２４を介して光源部２０に入射される。
【００５６】
よって、図２に示す状態においては、判定部５は、検知部１２及び検知部２２は検査用光を検知した旨の信号を判定部５に出力するものの、検知部３２では検査用光が検知されないため、判定部５は検知部３２から検査用光を検知した旨の信号が得られない。よって、判定部５は、各検知部（１２，２２，３２）からの信号に基づき、検知部３２において検査用光が検知できておらず、当該検知部３２に対応した光ファイバー３４が正しく接続されていないと判定することができる。
【００５７】
制御部７は、判定部５において正しく接続されていない光ファイバー３４が存在することが判定されると、各発光部（１１，２１，３１）に対する発光制御は行わない。そして、例えばアラートを出力する等して、利用者に光ファイバー３４が正しく接続されていないことを通知する制御を行うものとすることができる。これにより、光ファイバー３４が正しく接続されていないにも関わらず、光源部３０から高出力の光が出力されることで、当該光が外部に漏れ出るのを未然に防止できる。
【００５８】
なお、図２では、光ファイバー３４が光源ユニット２側には正しく接続されているが、光学アダプタ３側には正しく接続されていない場合を図示している。これに代えて、光学アダプタ３側には正しく接続されているが、光源ユニット２側には正しく接続されていない場合や、双方に正しく接続されていない場合においても、赤色の検査用光は光ファイバー３４を介して光源部３０に入射されないため、同様の議論が可能である。また、ここでは光ファイバー３４が正しく接続されていない場合について説明したが、他の光ファイバー（１４，２４）が正しく接続されていない場合においても、同様の説明が可能である。
【００５９】
上記構成によれば、光源部（１０，２０，３０）内にそれぞれ対応する検知部（１２，２２，３２）を備えると共に、光学アダプタ３内に、検査用光源部６１及びこれを駆動するための検査用駆動部６３を備えることで、光ファイバー（１４，２４，３４）が正しく接続されているか否かの判断が行える。よって、光ファイバー（１４，２４，３４）の接続部（コネクタ）自体にインタロック機構を備える必要がないため、接続部分においては汎用のファイバーコネクタが利用できる。
【００６０】
図１に示す構成であれば、検査用光源部６１から射出される検査用光としての白色光が、ダイクロイックミラー（４１，４２，４３）を経て各色に分光されるため、Ｒ，Ｇ，Ｂそれぞれの光を発する光源を別途準備する必要がない。このため、検査用光源部６１が備えるべき光源数を少なくすることができる。
【００６１】
なお、検査用光源部６１から射出される白色の検査用光を光路４５に対して逆方向ｄ２の向きに進行させるのは、ダイクロイックミラー（４１，４２，４３）を経て各光ファイバー（１４，２４，３４）側に導くためであり、更に言えば、各光ファイバー（１４，２４，３４）が正しく接続されている場合にこの光を各光ファイバー（１４，２４，３４）に入射させるためである。一方で、検査用光源部６１が光路４５上に存在していると、光源装置１の利用時において、各光源部（１０，２０，３０）からの射出光がダイクロイックミラー（４１，４２，４３）を経て合成されてなる白色光が光路４５上を順方向ｄ１の向きに進行する際の妨げになるおそれがある。そこで、かかる妨げを防止すべく、判定部５における判定処理が完了した後は、検査用駆動部６３によって検査用光源部６１の位置を光路４５外へと移動させる構成としている。
【００６２】
ここで、図３に示すように、光源装置１の光学アダプタ３が検査用光源部６１から射出される検査用光の進行方向を変化させるミラー６４を備える構成としてもよい。このミラー６４は、検査用駆動部６３からの制御により、その位置を光路４５の内外に移動させることのできる構成である。更に、このミラー６４は、光路４５上に配置されている状態において、検査用光源部６１から射出される検査用光が光路４５上を逆方向ｄ２の向きに進行するように、検査用光の進行方向を変化させることができる構成である。なお、この図３に示す構成においては、検査用光源部６１の位置が光学アダプタ３内の所定の位置で固定されているものとすることができる。
【００６３】
この構成によっても、ミラー６４を光路４５上に配置した状態で検査用光源部６１から白色の検査用光が射出されると、白色の検査用光が光路４５上を逆方向ｄ２に進行し、ダイクロイックミラー（４１，４２，４３）を通過することでＲ，Ｇ，Ｂ各色の光に分光され、対応する色の光ファイバー（１４，２４，３４）側に導かれ、各光ファイバー（１４，２４，３４）が正しく接続されている場合には、各色の検査用光が対応する色の光ファイバー（１４，２４，３４）に入射される。そして、判定部５において全ての光ファイバー（１４，２４，３４）が正しく接続されていると判定されると、制御部７からの制御信号を受けて、検査用駆動部６３がミラー６４を光路４５外へと移動させる。これにより、ミラー６４が、光源部（１０，２０，３０）からの射出光が合成されてなる白色光が光路４５上を順方向ｄ１の向きに進行する際の妨げになることが防止される。
【００６４】
図４は、光源装置１の別の実施形態の構成を模式的に示すブロック図である。図４に示す構成は、図１に示す構成と比較して、検査用光源部６１がＲ，Ｇ，Ｂ各色の光を発する構成である点が異なる。この構成においても上記と同様の効果が得られる。図４では、図１とは異なり、検査用光源部６１に対して図面上で「Ｒ」、「Ｇ」、「Ｂ」の表記を付し、Ｒ，Ｇ，Ｂ各色の光を発する構成であることを示している。
【００６５】
検査用光源部６１がＲ，Ｇ，Ｂ各色の光を発する構成である場合には、図５に示すように、光路４５上において、対応する色の光ファイバー（１４，２４，３４）とダイクロイックミラー（４１，４２，４３）の間に対応する色の射出光を入射できる位置に配置しても構わない。
【００６６】
なお、図４及び図５の構成では、検査用駆動部６３が検査用光源部６１を移動制御する構成としているが、図２と同様に、検査用駆動部６３によって移動制御可能なミラー６４を備える構成としてもよい。
【００６７】
［別実施形態］
以下、別実施形態について説明する。
【００６８】
〈１〉  上述の実施形態では、光源部１０が青色光を発し、光源部２０が緑色光を発し、光源部３０が赤色光を発する構成であるとし、すなわち、複数の光源部（１０，２０，３０）がＲＧＢ３色の光を発する構成であるとして説明した。しかし、本発明の光源装置１が備える光源部は２色以上の光を発し、発光色毎に異なる光ファイバーで伝送される構成であればよく、必ずしもＲＧＢ３色の光に限定されるものではない。
【００６９】
〈２〉  上述の実施形態では、光源装置１が、青色光を伝送する光ファイバー１４、緑色光を伝送する光ファイバー２４、及び赤色光を伝送する光ファイバー３４を備える構成とした。しかし、光ファイバー１４、光ファイバー２４、及び光ファイバー３４のそれぞれが必ずしも単一の光ファイバーで構成される必要はなく、それぞれが複数本の光ファイバー、又は複数本の光ファイバーがバンドルされてなるファイババンドルで構成されていても構わない。
【００７０】
図４又は図５に示した光源装置１は、検査用光源部６１から各色光の検査用光が射出される構成であるため、図１又は図２に示す光源装置１のように、白色の検査用光が射出される検査用光源部６１を備えた構成と比較すると、検査用光源部６１として必要な発光素子の数は増加することになる。しかし、複数の光源部（１０，２０，３０）からの射出光を発光色毎に伝送する複数の光ファイバーのそれぞれが、更に複数本の光ファイバー又は複数本の光ファイバーがバンドルされてなるファイババンドルで構成されている場合、これらが正しく接続されていると、例えば検査用光源部６１から射出された青色の検査用光は、光路４５上を逆方向ｄ２の向きに進行した後、青色の光を伝送する複数本の光ファイバー内に共通に伝送される。つまり、各光ファイバーの数と比べて、検査用光源部６１として必要な発光素子の数を少なくすることができる。
【００７１】
〈３〉  検査用光源部６１から射出される検査用光は、各光源部（１０，２０，３０）内に備えられた検知部（１２，２２，３２）において検知可能な最小値以上の光量であるものとして構わない。また、この検査用光は、光ファイバー（１４，２４，３４）が正しく接続されていない場合にも射出される構成であるため、外部に漏れ出る可能性がある。よって、人の肉眼に直接入射されても害のない程度に低出力であることが好ましい。
【００７２】
〈４〉  上述した実施形態では、光学アダプタ３が光処理部（より詳細にはダイクロイックミラー（４１，４２，４３））を備える構成である場合を想定して説明した。これは、光源ユニット２から伝送された各色の光を白色光に合成した後、出力部５１から出力させる構成を想定したものである。しかし、光源ユニット２から伝送された各色の光が、合成されることなくそのままの色の光として出力部５１から出力される場合には、光学アダプタ３がダイクロイックミラー（４１，４２，４３）を備える必要がない。
【００７３】
この場合は、例えば図５に示す構成と同様に、検査用光源部６１がＲ，Ｇ，Ｂ各色の光を発する構成とし、この検査用光源部６１から射出される各色の検査用光が、それぞれ対応する色の光ファイバー（１４，２４，３４）に入射可能な位置に配置される構成とすることができる。
【００７４】
更に、この場合において、検査用光源部６１として白色光を発する構成とし、白色の検査用光が、それぞれの光ファイバー（１４，２４，３４）に入射可能な位置に配置される構成としても構わない。この構成の下では、各光ファイバー（１４，２４，３４）が正しく接続されている場合、各光源部（１０，２０，３０）に備えられた各検知部（１２，２２，３２）は、当該白色光に含まれた対応する色の光成分を検知することになる。
【００７５】
ただし、この構成においては、各光ファイバー（１４，２４，３４）が正しく接続されている場合、各光源部（１０，２０，３０）にはいずれも白色光が入射されることになるため、各検知部（１２，２２，３２）は、太陽光や照明光などの外乱光と白色の検査用光とを区別して検知できる構成とする必要がある。一例としては、検査用光の光量を入り得る外乱光の光量よりは多くなるように設定しておくと共に、判定部５は、各検知部（１２，２２，３２）からの検知光量が所定の閾値以上である場合をもって検査用光が検知されたものと判定するものとしても構わない。
【符号の説明】
【００７６】
１      ：    光源装置
２      ：    光源ユニット
３      ：    光学アダプタ
５      ：    判定部
７      ：    制御部
１０      ：    光源部（Ｂ）
１１      ：    発光部（Ｂ）
１２      ：    検知部（Ｂ）
１４      ：    光ファイバー（Ｂ）
１９      ：    駆動部（Ｂ）
２０      ：    光源部（Ｇ）
２１      ：    発光部（Ｇ）
２２      ：    検知部（Ｇ）
２４      ：    光ファイバー（Ｇ）
２９      ：    駆動部（Ｇ）
３０      ：    光源部（Ｒ）
３１      ：    発光部（Ｒ）
３２      ：    検知部（Ｒ）
３４      ：    光ファイバー（Ｒ）
３９      ：    駆動部（Ｒ）
４１，４２，４３      ：    ダイクロイックミラー
４５      ：    光路
５１      ：    出力部
６１      ：    検査用光源部
６３      ：    検査用駆動部
６４      ：    ミラー
ｄ１      ：    順方向
ｄ２      ：    逆方向
【図１】
2015069790.tif 000003
【図２】
2015069790.tif 000004
【図３】
2015069790.tif 000005
【図４】
2015069790.tif 000006
【図５】
2015069790.tif 000007